(57)【要約】【課題】運搬式の除雪具に、雪を押して掻き分ける働き（ラッセル機能）を持たせると共に、除雪バケットから積載雪を落とさないように運搬する。【解決手段】上記課題を解決するために、除雪バケットの後部側上方に突出する軽量加工を施したラッセルボードを設けたものである。【選択図】  図１
2004346725.tif 000002
【特許請求の範囲】
【請求項１】
先が雪の取り込み口となる開口部を有し、両枠が後部に向かってスロープ状に立ち上がる側面板と、底面板及び背面板などにより形成される除雪バケットと、該除雪バケットの両側面板上端の折り返し部に保持されて後方に延長する補強兼用ハンドルとにより構成される雪運搬型の除雪具であって、湾曲の雪留め壁板と両曲げ枠の支持板により形成されるラッセルボードが該除雪バケットの後部側の折り返し部より上方に突出する形態で設けられて為る事を特長とするラッセル式運搬除雪具。
【請求項２】
上記ラッセルボードは、縦目スリットやパンチングなどの抜き加工による軽量板構造を為している事を特長とする請求項１に記載のラッセル式運搬除雪具。
【発明の詳細な説明】
【０００１】
【発明の属する技術分野】本発明はラッセル式の運搬除雪具に関する。
【０００２】
【従来の技術】従来、通称スノーダンプと呼ばれ、手押しによる運搬除雪具がある。これは積雪した路面の雪を押しながら除雪バケットに取り込むと共に、そのまま排雪場所へ運搬し投雪する事を目的とした除雪具である。この構造の特長は、樹脂やアルミ製の大型の除雪バケットと、該除雪バケットの両側面板上端の折り返し部に保持されるスチール製の補強パイプが後部に延長してコの字となるハンドルにより構成される。このような運搬除雪具は大雪を除雪するために欠かせないものであり北国では除雪作業の必需品となっているものである。また、幅広の縦アーチ型雪掻き板を備えたラッセル用の雪掻きが開発され雪路面の雪を効果的に押して掻き分ける機能に優れたラッセル専用の除雪具も開発されている。
【０００３】
【発明が解決しようとする課題】上記のように、運搬除雪具は雪の運搬を目的として開発された除雪具である。そこで、更に大量の雪を積載する事を目的とした発明としてＡ方式（特開２００２−２６６３２６）やＢ方式（特開平８−２０９６５１）なるものがある。しかし、これらの発明では従来の除雪バケットを深型形状とすれば同機能となるため技術的に何ら評価されるものではない。除雪バケットは、使用者の力に応じた運搬が可能となるように大小種類が用意されており、しかもそれぞれに限界的な軽量化が計られているものである。この事から、除雪バケットに補助板を取り付けるなどのＡ方式では本体自体の重量が著しく増加するため論外である。そして、運搬除雪具は積載物の重量が乗った場合の全体バランスを考慮して設計がなされているため、Ｂ方式のようにハンドル面がボードとなったものは重量バランスが悪く実用としては極めて不適格である。
【０００４】従来の運搬除雪具が有する課題は、積載雪が振動により周囲に落としてしまう事や、積雪した雪を押して行く時に一定量を超えた雪が除雪バケットの背面からこぼれ落ちるためラッセル作業（雪を押して掻き分ける働き）の効率が悪い事、更に傾斜道では積載雪のほとんどを背面に滑り落としてしまう等であって、先述したような単に積載量を多くする発明などは全く求められていない無意味な対策なのである。
【０００５】また、先述したように上記のラッセル作業を効率的に行なう専用の雪掻きが開発され、従来の雪掻きに代わるほどの主流になりつつあるが、この事からもラッセル機能の重要性が証明されているのである。但し、この雪掻きは雪を押して掻き分けるラッセル作業に優れるラッセル専用除雪具であって運搬機能を有するものではない。従って、実際の除雪作業では運搬除雪具とラッセル式雪掻きの両方を揃え使い分けする面倒は避けられない。
【０００６】そして、運搬除雪具自体が大型で自重が大きい特長を持つものであるから、除雪バケットの重量を増やさないまま上記の問題を解決する運搬除雪具が強く求められているのである。
【０００７】
【課題を解決する為の手段】本発明は、従来の運搬除雪具が有する上記課題を鑑みてなされたものであって、請求項１の発明により、除雪バケットの後部側の上方に突出する形態の湾曲の雪留め壁板と、両側面の曲げ支持板からなるラッセルボードを設けたものである。これは、従来の運搬除雪具とラッセル用雪掻きの両機能を有するものであり、従来には存在しない新発想の除雪具である。このように、この発明の特長は従来の運搬除雪具にラッセル機能を持たせる技術であって、豪雪地での実用的除雪具として他に類を見ない働きを為すものである。
【０００８】そして請求項２の発明により、上記ラッセルボードの部材を、縦目スリットやパンチングなどの中抜き加工とした軽量板構造を用いた事を特長としている。この発明により、前記の高性能ラッセルボードを設けた場合でもほとんど重量増とはならずにその効果が得られるものである。要するに適度な強度が必要となる除雪バケットと、強度より軽量化が重要となるラッセルボードと各部の特徴的働きに適応した部材を用いる事によって異種の除雪具機能と軽量化を実現したものである。
【０００９】上記の発明による効果の例を数値で表現するなら、最も普及しているプラスチック製スノーダンプ大の重量が４、５キロで特大が６キロである。そして、ラッセルボードは約３００グラム程度であるから、大に装備した場合は４，８キロとなる。この僅かな重量増によって得られる積載量は特大と同量か若しくはそれ以上となるもので極めて効果的である。しかも、背面が湾曲の壁板構造により積載雪を落雪するとしても背後には落とさない特長があるため、従来のように重複往来していた除雪の無駄の問題も解決するのである。
【００１０】
【発明の実施の形態】以下、本発明の実施の形態を図面を参照して説明する。図１は本発明のラッセル式除雪具の例を示す斜視図であり、図２は側面図、図３は平面図である。
【００１１】本発明のラッセル式除雪具の構造的特長を簡単に表現するなら、従来の運搬除雪具の除雪バケットＡにラッセルボードＢを設けた事であって、除雪バケット本体の後部側上方に湾曲する雪留め壁板が突出する特殊な形態を成すものである。
【００１２】但し、従来の除雪バケットＡそのままにラッセルボードＢを設けた場合、ラッセル機能に限れば専用のラッセル用雪掻きには少々及ばない。それは、雪の取り入れ口となる開口部の構造的相違によるもので、除雪バケットは雪路面に対して水平に進行するため削るのではなく滑る移動となるからである。そのため、よりラッセル機能を向上させるには先端に若干の厚みと角度を有する剣先型金属板などを設け、雪路面の削り移動除雪を可能とする事で解決出来る。
【００１３】また、除雪バケットは間口を幅広とし、奥行きが短い形状が効果的である。それは、ラッセル作業の効率を上げるには広い面積を一度に掻き分ける事が有利となるからである。このように、除雪バケットに若干の改良を加える事によってラッセル専用雪掻きに比べても遜色のないラッセル機能を有するものとなる。
【００１４】図例のように、ラッセルボードＢは除雪バケットＡを本体ベースとして上方に突出する形態で乗せられている。このため、仮に除雪バケットと同部材のままでは重量増は避けられない、しかも視覚的に受ける印象も重量感を感じる欠点が生じる。そこで本発明では軽量化のために縦目スリットやパンチングなどの軽量加工を施した部材を用い、下部側の除雪バケットとは部材構造を異なるものとしている。但し、その目的を達成するものであれば他の軽量加工方式でも良く、例えば軸枠と中骨による補強部と薄面材の組み合わせによる部材を用いる対策でも構わない。
【００１５】因みに、除雪バケットＡとラッセルボードＢの部材を適切に用いる事により図４例に示したようなラッセル式運搬除雪具も可能である。これは、部材の割合を軽いラッセルボード側にウエイトを置いたものであるが、機能的に全く問題がないにも関わらず更に軽量化を実現したものである。
【００１６】除雪バケットＡは開口面以外の三方が立ち上がり、その外周上面が丸く折り返されている。この折り返し部１０に補強パイプＤが保持されボルト固定される。そして、補強パイプはそのまま後部に延長されてコの字型となるハンドルＣが設けられる。このように、折り返し部によって除雪バケットの外枠構造が完結されており、従来の除雪バケットに雪留め板などが装備されていないのはこの構造的な特長も理由の一因となっている。
【００１７】上記特長を有する除雪バケットＡを無理なくラッセルボードＢを備えた一体構造とするためには先ず、ラッセルボードの両支持板２０を補強パイプＤに腰掛ける形状に曲げて立ち上げる形状とし、その面の折り返し部１０を省く事で可能である。この形状によれば、ラッセルボード面の間口幅は除雪バケットの間口幅より若干幅広構造となる。そして、背面には折り返し部１０は設けず、背面用補強パイプＥとの合体には連結用の固定金具Ｆを用いたボルト固定とする。
【００１８】以上の方法により除雪バケットＡとラッセルボードＢを一体成形とした型抜き製造が可能である。このため、型代や作業工程で有利となり安価に製造が出来る。但し、上記の方法は１つの例であって、同等の結果が得られるなら特に限定するものではなく他の方法でも構わない。
【００１９】当然であるが、ラッセルボードＢは単体構造として着脱方式も可能である。この着脱方式のための装着部構造は特に限定するものではないが、仮に、従来品に装備した場合には簡易ラッセル式除雪具として利用可能となるため、共有装着が可能となるワンタッチ着脱方式が有利である事は云うまでもない。そこで、以下に装着部構造の一例を示す。
【００２０】先ず、ラッセルボードＢの両支持板２０の底部側と背面側に開口部を有する単管の被留め具２２を設ける。この被留め具は、補強パイプＤと合体する除雪バケットＡの折り返し部１０の外周を捉えると共に、部材の径の相違による収縮力が固定機能を果たすものである。
【００２１】上記の着脱方式によれば、必要としない場合や破損した場合に簡単に取り外しや交換が出来る利点がある。但し、思わぬ時に外れてしまう欠点も有するため、例えばボルト固定や接着などによる装着方式としても構わない。
【００２２】また、図例からは、ラッセルボードＢの頂部２１は底面から３０センチ程度の高さを有しているが、従来の運搬除雪具の最後部の高さの２倍程度を目安としたものであり厳密に規定するものではない。よって除雪バケットの大小によって若干の相違は生じる。また、ラッセルボードの両支持板２０の傾斜面の長さや形状などの設定も自由である。
【００２３】
【実施例】本発明のラッセル式除雪具を実際に使用する事によるその効果や、生じる作業の流れなどについて実施例を引用し表す事にする。
【００２４】従来の除雪バケットは、背面板１１が１５センチ程度と低く、しかも後方へ傾斜する形状により積載雪は次々と前方からの雪に押され、後面や両サイドに押し出されていた。しかし、本ラッセル式除雪具では速度を持って進入した雪はラッセルボードＢによって前方に巻き返される特長を持つのである。そのため除雪バケットに適量に積載されると共に、通過面に押し出される事はほとんどないのである。しかも、適量に積載した以降は路面の雪を左右に掻き分けて進む事になるため明らかに除雪効果に違いが出るのである。
【００２５】機能的に例えるなら、業務用ラッセル車と呼ばれる大型の除雪機械や機関車の先頭に装備される除雪板なども湾曲壁板を備えており、除雪作業における雪の流れをスムーズに行なうために最も効果的となるよう設計がなされているのである。
【００２６】このようなラッセル機能を視覚的に説明するために、実際の除雪作業をシュミレーションする様子を図５に示す。そして、機能の相違を表すために従来のスノーダンプによる除雪作業の様子を図６に示す。
【００２７】図５によれば、例えば１０センチ以上の積雪面を除雪しながら前進する場合、２メートルも進めば除雪バケット満杯となり、それ以上進入してくる雪はラッセルボードによって巻き返され若干の圧雪状態となる。この時、前後揺すりを数度繰り返す操作により山盛り積載が可能である。このように適度に積載された後は余分な雪が除雪バケットには進入出来ないため左右に押し分けられる事になり、これがラッセル作業となるのである。
【００２８】次に、従来の運搬除雪具によれば、図６のように除雪バケット面を埋めた以降は背面の抵抗が弱いため進入しようとする雪に押し出される可能性が高い。しかも、除雪バケットを前後に揺すって掻き入れる操作の時に背面に落としてしまう問題もある。このままではどこまで押して前進しても少量の雪しか取り込む事が出来ず、大型の除雪バケットを苦労して押す割に効果が薄く無駄な労力となるのである。
【００２９】更に、実際の排雪作業をよくよく鑑みれば、例えば崖の上に住むならそのままの状態で楽な排雪となるが、一般には限定された狭地が投雪場である。従って効率良く利用するためにはどうしても山積み状態とし、スロープを確保しながら乗り越える作業が避けられないのである。
【００３０】また、最近主流となりつつある移動融雪機もスロープ状の台上まで押し上げる必要がある。雪を満載に積載した時の運搬除雪具は相当な重量となっており、この重量物を傾斜地に押し上げるのは相当な重労働を強いられるのである。
【００３１】ここで問題になるのが、除雪バケット背面の傾斜形状によって積載雪が背面に滑り落雪し易くなっている事である。傾斜面では瞬発力を利用して一気に乗り上げる事が多く行なわれるため、その反動によって落としてしまう可能性が高い。よって全力で押し上げる動作が行いにくく、尚更疲労する結果となっていた。これは運搬除雪具を使用した方なら必ず体験している重大な問題で、ラッセルボードは背面に滑り落ちる積載雪を食い止める防壁板の働きも有しているため安心して押し上げる事が可能となるのである。
【００３２】
【効果】本発明のラッセル式除雪具は、雪の積載運搬とラッセル用の雪掻きとの両機能を有するものである。これは除雪作業において両方用意し使い分ける必要がなく、しかも押し進む行為がそのままラッセル作業と運搬を兼用するものであり、従来のように積載雪を落雪してしまう問題もない。
【００３３】以上説明してきたように、ラッセル式除雪具は多機能で効率的除雪を可能とする新発想の運搬除雪具である。然るに、これは従来の運搬除雪具よりほんの僅かな重量増によって実現されている点が特長である。毎年大雪の除雪作業を強いられる北国の人々にとっては僅かな効果でも意義深いもので、増して本発明のラッセル式運搬除雪具の実力は人々を重労働から開放するほどの絶大な効果を発揮するものである。
【図面の簡単な説明】
【図１】本発明のラッセル式除雪用具の例を示す斜視図である。
【図２】図１に係る側面図である。
【図３】図１に係る平面図である。
【図４】別の構造例を示す側面図である。
【図５】本発明のラッセル式除雪用具による除雪作業を示す。
【図６】従来のスノーダンプによる除雪作業を示す。
【図７】着脱式ラッセルボード単体の例を示す斜視図である。
【符号の説明】
Ａ：除雪バケット本体
Ｂ：ラッセルボード
Ｃ：パイプハンドル
Ｄ：本体の両枠用補強パイプ
Ｅ：本体の背面用補強パイプ
Ｆ：連結用固定金具
１０：除雪バケットの外枠折り返し部
１１：除雪バケットの背面板
１２：除雪バケットの側面
１３：除雪バケットの底面
２０：ラッセルボードの両支持板
２１：ラッセルボードの頂部
２２：ラッセルボードの被留め具
３０：積載雪
３１：路面の雪
【図１】
2004346725.tif 000003
【図２】
2004346725.tif 000004
【図３】
2004346725.tif 000005
【図４】
2004346725.tif 000006
【図５】
2004346725.tif 000007
【図６】
2004346725.tif 000008
【図７】
2004346725.tif 000009